(57)【要約】      （修正有）【課題】加湿器の最適な性能とし、さらに加湿器の損傷を防ぐ改良型芳香パッド及びそれを収容する機構を提供する。【解決手段】機構は、好ましくは加湿器又は同様の装置の一部であり、加熱表面に隣接して配置される。機構は、好ましくはカバーと、有鍵部と、芳香部材を適切に適合させるとともに、他の形状のパッドが収容機構に挿入されあるいは使用されることを防止し、運転を最適化するリブ部とを備える。一実施形態においては、芳香パッド１００は、上部直線縁１０５、側縁１０６、１０７、２つの下部傾斜縁１１０，１１５、及び傾斜縁間にある下部直線縁１１２を備える。傾斜縁は下部直線縁及び側縁の両方を横切る角度で配置される。【選択図】図１
2014040997.tif 000002
【特許請求の範囲】
【請求項１】
筐体と、
有鍵部及びリブ部を有する前記筐体内の容器と、
を備え
前記容器は、前記容器のカバーが閉位置のときに、前記カバーが前記第１形状パッドの少なくとも一部を覆うとともに前記第１形状パッドが前記リブ部と接触するように、第１形状パッドを受け入れる構成及び大きさであることを特徴とする空気処理装置
【請求項２】
前記カバーは前記容器に接続されることを特徴とする請求項１に記載の空気処理装置。
【請求項３】
前記カバーは前記容器に枢動自在に接続されることを特徴とする請求項２に記載の空気処理装置。
【請求項４】
前記カバーは、閉位置にあるときに、前記第１形状パッドの全体を覆うことを特徴とする請求項１に記載の空気処理装置。
【請求項５】
前記有鍵部及びリブ部は前記カバーの一部として設けられることを特徴とする請求項１に記載の空気処理装置。
【請求項６】
前記パッドは芳香パッドであることを特徴とする請求項１に記載の空気処理装置。
【請求項７】
前記容器に接触する加熱表面をさらに備えることを特徴とする請求項１に記載の空気処理装置。
【請求項８】
前記パッドは、
上部直線外縁部と、
第１側方外縁部と、
前記第１側方外縁部に略平行な第２側方外縁部と、
第１下部傾斜外縁部と、
第２下部傾斜外縁部と、
前記上部直線外縁部に略平行であり、前記第１側方外縁部に略直交する下部直線外縁部と、
を備え、
前記下部直線外縁部は、前記第１下部傾斜外縁部と前記第２下部傾斜外縁部との間にあることを特徴とする請求項１に記載の空気処理装置。
【請求項９】
前記空気処理装置は加湿器であることを特徴とする請求項１に記載の空気処理装置。
【請求項１０】
前記空気処理装置はヒータであることを特徴とする請求項１に記載の空気処理装置。
【請求項１１】
前記空気処理装置はファンであることを特徴とする請求項１に記載の空気処理装置。
【請求項１２】
前記空気処理装置は空気清浄器であることを特徴とする請求項１に記載の空気処理装置。
【請求項１３】
底表面と、
前記底表面に対して枢動可能な枢動カバーと、
有鍵部と、
リブ部と、
を備え、
前記有鍵部及び前記リブ部は、前記カバー及び前記底表面が閉位置で互いに接触するときに、第１形状パッドを囲う構成及び大きさであることを特徴とする空気処理装置の容器。
【請求項１４】
前記カバーは、閉位置のときに、前記第１形状パッドの全体を覆うことを特徴とする請求項１３に記載の容器。
【請求項１５】
前記有鍵部及び前記リブ部は、前記カバーの一部として設けられることを特徴とする請求項１３に記載の容器。
【請求項１６】
前記パッドは芳香パッドであることを特徴とする請求項１３に記載の容器。
【請求項１７】
前記容器は前記空気処理装置の加熱表面に接触することを特徴とする請求項１３に記載の容器。
【請求項１８】
前記パッドは、
上部直線外縁部と、
第１側方外縁部と、
前記第１側方外縁部に略平行な第２側方外縁部と、
第１下部傾斜外縁部と、
第２下部傾斜外縁部と、
前記上部直線外縁部に略平行であって、前記第１側方外縁部に略直交する下部直線外縁部と、
を備え、
前記下部直線外縁部は、前記第１下部傾斜外縁部と前記第２傾斜外縁部との間にあることを特徴とする請求項１３に記載の容器。
【請求項１９】
前記空気処理装置は加湿器であることを特徴とする請求項１３に記載の容器。
【請求項２０】
前記空気処理装置はヒータであることを特徴とする請求項１３に記載の容器。
【請求項２１】
上部直線外縁部と、
第１側方外縁部と、
前記第１側方外縁部に略平行な第２側方外縁部と、
第１下部傾斜外縁部と、
第２下部傾斜外縁部と、
前記上部直線外縁部に略平行であり、前記第１側方外縁部に略直交する下部直線外縁部と、
を備え、
前記下部直線外縁部は、前記第１下部傾斜外縁部と前記第２下部傾斜外縁部との間にあることを特徴とする空気処理装置の容器に挿入される芳香パッド。
【請求項２２】
上部直線外縁部と、
第１側方外縁部と、
前記第１側方外縁部に略平行な第２側方外縁部と、
前記第１側方外縁部と略平行な第１下部外縁部と、
前記第２側方外縁部と略平行な第２下部外縁部と、
前記第１側方外縁部及び前記第１下部外縁部に接続される第１延出部と、
前記第２側方外縁部及び前記第２下部外縁部に接続される第２延出部と、
前記上部直線外縁部に略平行な下部直線外縁部と、
を備え、
前記第１及び第２延出部は、前記第１側方外縁部に略平行であり、
前記下部直線外縁部は、前記第１下部外縁部と前記第２下部外縁部との間にあることを特徴とする空気処理装置の容器に挿入される芳香パッド。
【発明の詳細な説明】
【技術分野】
【０００１】
本発明は、広く芳香パッド及びそれを収容するための機構に関する。
【背景技術】
【０００２】
室内環境を容易且つ効果的に制御可能であることが高く望まれている。この理由により、多くの装置が、閉鎖環境、例えば家の部屋等の温度、湿度、臭気及び空気の質を制御するために開発されている。これらの装置は、加湿器、空気清浄器、ヒータ、ファン、芳香マスク、エアーリフレッシュナー等を含む。
【０００３】
例えば、温暖気候において、湿度を制御することは非常に重要である場合がある。冬及び冬の前後の数カ月、空気中の湿度が不足することは、人々に非常に不快感を与えることがある。加湿器は、湿度を制御することに使用される典型的な装置である。これらの同数カ月、多くの人が風邪を発症し、鼻及び気管の詰まりを抱える。詰まり及び風邪を治療するための１つの方法は、空気中に鎮静作用のあるメンソールの芳香を散布することである。
【０００４】
芳香を発生させるための手段を備える加湿器が開発されているが、様々な欠点を有している。これらの加湿器は、一般に、良い香りを環境に散布するためにエアーフレッシュナーを備えている。空気清浄機能を有する既知の加湿器は、加湿器のファンによって発生する空気経路に設けられた芳香部材を有する加湿器を含む。芳香部材は空気中に芳香を絶え間なく拡散させ、ファンは周囲の環境に芳香を噴き出す。一般に「芳香パッド」として知られるこれらの芳香部材は、例えば正方形又は長方形等の平行四辺形形状であり、ファンの近くであって空気中に芳香材料を放出する加熱表面に対して位置する加湿器内のスロット又はホルダに挿入される。
【発明の概要】
【発明が解決しようとする課題】
【０００５】
従来の装置では、加湿器内のこれらのスロット又はホルダは、ユーザが挿入するいかなる芳香パッド又は他の材料に適合する。したがって、加湿器の製造者は、どのようなパッドが特定の加湿器で用いられるかについて制御することができなかった。不適切なパッド、又は、特定の装置のために最適化されなかったパッドの使用は、低い性能となるとともに、加湿器の損傷になる可能性がある。
【０００６】
このような芳香パッドを収容する、加湿器の構成部材に特定の芳香パッドが用いられることを確実にする機構が望まれている。この構成部材は、特別な形状のパッドを収容するように特別に設計されなければならない。このような機構は、形状、材料の厚さ等に基づいてパッドを特定の加湿器のために最適化できることを確実にすることを補助する。
【０００７】
本明細書は本願の芳香パッドを収容する機構を加湿器の一部として説明するが、本発明の特定の態様が、例えばヒータ、空気清浄器、又はファン等の他の装置とともに使用可能であることは当業者には当然であることに留意する必要がある。
【０００８】
上記説明及び従来の欠点を考慮し、本発明は、改良型芳香パッド及びそれを収容する機構を提供することにより、従来のそのような欠点の解決を模索している。
【課題を解決するための手段】
【０００９】
本発明の一実施形態によれば、芳香パッドは、上部直線縁、側縁、２つの下部傾斜縁、及び、傾斜縁間にある下部直線縁を備える。上部直線縁及び下部直線縁は、好ましくは互いに略平行である。側縁は好ましくは互いに平行であり、傾斜縁は好ましくは下部直線縁及び側縁の両方を横切る角度で配置される。
【００１０】
本発明の他の実施形態によれば、芳香パッドは、上部直線縁、側縁、２つの下部側縁、側縁を下部側縁に接続する延出部、及び、下部側縁間にある下部直線縁を備える。上部直線縁、延出部、及び、下部直線縁は、好ましくは互いに略平行である。側縁は、好ましくは互いに及び下部側縁に対して略平行である。
【００１１】
他の実施形態において、芳香パッドを収容する機構が開示されている。機構は、好ましくは加湿器又は同様の装置の一部であり、パッドの芳香又は他の材料が空気に放出されることが可能なように、加湿器の加熱表面に隣接して配置される。機構は、好ましくは上部カバー、有鍵部、及び、芳香パッドを適切に適合させるとともに、他の形状のパッドが収容機構に挿入され、あるいは、使用されることを防止するリブ部を備え、最適な性能を保証する。
【図面の簡単な説明】
【００１２】
本発明の特定の実施形態は、同様の符号が同様の部材を参照する添付の図面とともに読まれることで、より明らかとなる。本願を説明するために、好適な実施形態が図面に示されている。しかしながら、本願は、示された明確な配置、構成、特徴、実施形態、態様及び装置に限定されず、単独で或いは他の配置、構成、特徴、実施形態、態様及び装置との組み合わせで使用されてもよいことは理解され、当然である。
【００１３】
図面は、必ずしも一定の縮尺で描写されておらず、本願の範囲をいかなる方法でも限定する意図はなく、本発明の説明された１つの実施形態を単に明確化する。図面において：
【００１４】
【図１】図１は、本発明の一実施形態に係る芳香パッドの正面図である。
【００１５】
【図１Ａ】図１Ａは、本発明の別実施形態に係る芳香パッドの正面図である。
【００１６】
【図２】図２は、本発明の一実施形態に係る、芳香パッドを収容する機構を開位置で示す側面図である。
【００１７】
【図３】図３は、本発明の一実施形態に係る、芳香パッドを収容する機構を閉位置で示す端面図である。
【００１８】
【図４】図４は、本発明の一実施形態に係る、芳香パッドを収容する機構の正面断面図である。
【００１９】
【図５】図５は、本発明の一実施形態に係る、芳香パッドを収容する機構の側面断面図である。
【発明を実施するための形態】
【００２０】
本発明の特定の例示的実施形態は、上述した図を参照してこれから説明される。一般に、このような実施形態は、加湿器内の芳香パッド及びそれを収容する機構に関する。但し、本発明の特定の実施形態が例えばヒータ、ファン、空気清浄器等の種々の他の装置とともに用いられることが可能であることは当業者には当然である。
【００２１】
図１に示されるように、芳香パッド１００は、上部直線縁１０５及び側縁１０６，１０７を備える。また、芳香パッド１００は、下部傾斜縁１１０，１１５及び下部直線縁１１２を備える。上部縁１０５及び下部直線縁１１２は、好ましくは互いに略平行である。側縁１０６，１０７は、好ましくは、互いに略平行であり、上部縁１０５及び下部直線縁１１２に略直交する。図１にさらに示されるように、傾斜縁１１０，１１５は、好ましくは下部縁１１２及び側縁１０６，１０７の両方を横切る角度で配置される。
【００２２】
別実施形態において、図１Ａに示されるように、芳香パッド１００ａは、上部直線縁１０５ａ及び側縁１０６ａ，１０７ａを備える。また、芳香パッド１００ａは、下部直線縁１１０ａ，１１５ａ及び下部直線縁１１２ａを備える。上部縁１０５ａ及び下部直線縁１１２ａは、好ましくは互いに略平行である。側縁１０６ａ，１０７ａは、好ましくは、側縁１０６ａ，１０７ａに対して略平行であり、上部縁１０５ａ及び下部直線縁１１２ａに略直交する。図１Ａにさらに示されるように、側縁１１０ａは好ましくは延出部１１８ａを介して側縁１０７ａに取り付けられ、側縁１１５ａは好ましくは延出部１２０ａを介して側縁１０６ａに取り付けられる。延出部１１８ａ，１２０ａは、側縁１０６ａ，１０７ａ，１１０ａ，１１５ａに略直交する。
【００２３】
芳香パッドは、好ましくは、木、綿又は合成繊維を含む多孔質材料をから形成されてもよく、油又はアルコールベースの芳香成分を含んでいてもよい。芳香パッドは、純粋な良い芳香、例えば花又は柑橘類の芳香、あるいは、鎮静作用のある芳香、例えばラベンダー、ロースマリー又はメンソールを有していてもよい。運転時、芳香パッドは、空気に芳香を放出するように、加熱され、あるいは、加湿器又は同様の装置内でファンの経路に配置されてもよい。一般に、芳香パッドは芳香を放出するように設計され、芳香の放出は芳香パッドを加熱することで増大する。この加熱は、一般に、加湿器の加熱表面の近くにあるホルダに芳香パッドを配置することを必要とする。
【００２４】
図２に示されるように、加湿器は概して加熱表面２１０を有し、この加熱表面２１０に、あるいは、この加熱表面２１０に隣接して、芳香パッド１００が配置可能である。以下の実施形態は芳香パッド１００の形状でパッドの配置を説明しているが、別の実施形態において、芳香パッドを収容する機構が、例えばパッド１００ａ等の異なる形状のパッドを受け入れるように設計及び／又は変更されてもよいことは、当業者には当然である。一実施形態によれば、パッド１００を収容する機構２００は有鍵部２１５を有する上部カバー２２０を備え、有鍵部２１５は、パッドが所定位置にあってカバーが閉位置にあると、パッド１００に嵌るとともにパッド１００を覆う。有鍵部２１５は、異なる形状の他のパッドがスロット２３０に配置されることを防止する。換言すれば、パッド１００と異なる形状を有する芳香パッドがスロット２３０に配置された場合には、カバー２２０が閉じられない。カバー２２０は、好ましくは、カバー２２０を開位置から閉位置に移動させる固定垂直バー２５０にヒンジ２４０を介して取り付けられる。機構２００は、第２垂直バー２６０をさらに備え、第２垂直バー２６０は、閉位置にあってパッド１００を囲うときに、カバー２２０に接触する。カバー２２０は、ヒンジによって取り付けられるとして示されているが、当業者には当然であるように、垂直バー２５０又は加湿器の他の部分に着脱可能である。さらに、リブ部及び／又は有鍵部は、カバー２２０の一部であるとして示されているが、カバー２２０と別であってもよい。あるいは、カバーは、パッドが所定位置に保持されて独立したリブ部及び／又は有鍵部によって適合したときに、除去されてもよい。
【００２５】
図３は、閉位置における機構２００の端面図を示す。図３に示されるように、上部カバー２２０が閉位置にあるときに、有鍵部２１５は、特定の形状（例えば、パッド１００の傾斜面）を有する芳香パッドのみが加熱表面２１０に保持可能なように、パッド１００に嵌る。対照的に、平行四辺形又は円形形状を有する芳香パッドは、芳香パッド１００が嵌るのと同じ方法で、機構２００内に嵌らない。別の実施形態では、カバー２００は２以上の別の部分から形成されてもよく、各部分は垂直バー２５０，２６０にそれぞれ取り付け可能である。カバーの各部分は、閉位置に移動されると、一緒にパッド１００を加熱表面２１０に固定し、他の形状のパッドがこの機構において使用されることを防止する。
【００２６】
図４及び図５は、それぞれ、パッド１００が挿入されてもよい有鍵部を有する機構２００の正面断面図及び側面断面図を示す。図４及び図５に示されるように、リブ部４２５は、パッド１００を、動かないように、加熱表面２１０に保持する。また、リブ部４２５は、芳香パッド１００の形状に適合している。芳香パッドは、パッド１００と異なる形状を有する（例えば、パッド１００の傾斜面を有しない）場合、リブ部４２５を通り越した所に配置されることができず、したがって、周知のように最も効率的な方法で芳香パッドにその芳香を放出させるようには加熱表面２１０に保持されない。むしろ、リブ部４２５は、このような異形の芳香パッドの挿入を妨げて、芳香パッドが完全に挿入されないようにする。
【００２７】
芳香パッド及び加湿器の好適な実施形態として説明された種々の機構が、本発明の構成及び動作に著しい影響を与えることなく、好適な実施形態間で適用され、交換されてもよいことは、当業者であれば認識する。本発明が、多くの応用を有し、多くの方法でなされてもよく、また、それ自体が上述の実施形態及び例示に限定されないことは、当業者であれば認識する。
【００２８】
ここで説明された異なる実施形態のいかなる数の特徴は一実施形態と組み合わされてもよく、特定の要素の位置は変更されてもよく、また、ここで説明された全部より少ない又は多い特徴を有する別の実施形態が可能である。また、機能は、現在周知の又はこれから周知となる方法で、全体的又は部分的に複数の構成部材に割り振られてもよい。
【００２９】
変更が広い発明の概念を逸脱することなく上述の実施形態に成されることは、当業者には明らかである。したがって、本発明が、開示された特定の実施形態に限定されることなく、本発明の趣旨及び範囲内の変更を含めることを意図することは当然である。例示的な実施形態に適用される本発明の基本的な特徴が示され及び説明されたが、開示された発明の形態及び詳細における省略、置換及び変更が、本発明の趣旨を逸脱することなく、当業者によって成されてもよいことは当然である。さらに、当業者に当然であるように、本発明の範囲は、ここで説明された構成要素に対する従来周知であって将来発展する変形及び変更に及ぶ。
【図１】
2014040997.tif 000003
【図１Ａ】
2014040997.tif 000004
【図２】
2014040997.tif 000005
【図３】
2014040997.tif 000006
【図４】
2014040997.tif 000007
【図５】
2014040997.tif 000008
【外国語明細書】
2014040997000001.pdf